(57)【要約】      （修正有）【課題】どんな非力な結束者であっても新聞・雑誌等の結束作業を極めて容易にスピィーディーに、しかも紐の弛み無く行うことを可能にする。【解決手段】長さと形状を工夫した特殊な十字型のひもを新聞紙等の結束対象物にワンタッチ着装し、そのひもに棒などの結束具２を通して回転させるだけの一連の動作により、力いらず・コツいらずの速やかな結束作業を実現するものである。【選択図】図５
2012030890.tif 000002
【特許請求の範囲】
【請求項１】
２本の紐が中央で十字形に接合されていて、紐の各々の先端にループまたは結節が形成されていることを特徴とする結束用十字紐。
【請求項２】
前記の４つの先端のループ全てに棒などの結束具を引っ掛けて、その結束具を回転させることにより，各ループに連なる紐を回転させ、ねじっていくことにより結束対象物を十文字に縛り上げることができる請求項１に記載の結束用十字ひも。
【請求項３】
全体がループ状になった２本の紐が中央で十字形に接合されている、即ち紐の各々の先端のみでなく、全体がループ状になっていることを特徴とする請求項１および請求項２に記載の結束用十字紐。
【請求項４】
２本の紐があらかじめ十字状には接合されておらず、結束作業時に初めて床の上で十字形に交差させ、その上に結束対象物を置き、十文字縛りを行うことを特徴とする請求項１・請求項２・請求項３に記載の結束用十字紐。
【請求項５】
中央で十字形に接合された2本の紐が、新聞紙等を収納する紙袋と、その底面・側面において接着されており、両者（十字紐と紙袋）があらかじめ一体となっていることを特徴とする請求項１・請求項２・請求項３に記載の結束用十字紐。
【請求項６】
結束対象物のタテ・ヨコ比率と「結束用十字ひも」のタテ・ヨコ紐の長さの比率が大幅に狂っている場合でも、作業時にループに引っ掛けた結束具を結束対象物に対して垂直上方向に強く引っ張り上げながら回転させていくという方法により、テンションのかかっている一方の紐が、長さの余って弛んでいる他方の紐を効果的に巻き込んでいき、回転作業が進むに従い、タテ紐・ヨコ紐にかかるテンションが均等になり、結束対象物を均等の力で十文字に縛り上げてゆくことができる。
以上の操作が生む効果のゆえに、どんな形の結束対象物でも紐の長さ・比率を変えることなく効果的に十文字縛りにすることができる、請求項１・請求項２・請求項３・請求項４・請求項５に記載の結束用十字紐。
【請求項７】
紐を回転させるものが「棒」もしくは「ひも結束器」のいずれかである請求項１・請求項２・請求項３・請求項４・請求項５・請求項６に記載の結束用十字紐。
【発明の詳細な説明】
【技術分野】
【０００１】
本発明は家庭用としては、A４版の四つ折り古新聞一月分をその最適結束対象とし、それ以外の結束対象でも、B5版（雑誌など）、A5版（単行本など）、A6版（文庫本など）などどれでも、あるいは、それらの混合物など、あらゆる形、タテ・ヨコ比率の結束対象を力を要することなく素早く十文字に結束することを可能にした結束ひもおよび結束方法に関するものである。
【背景技術】
【０００２】
アパート、マンション等の回収資源置き場を見るにつけ、家庭から出される古新聞・古雑誌等の結束がゆるみなく十分に固くなされている例の少ないことを実感するものである。これは結束作業の難しさを物語るものであり、その面倒さ、難しさを解決せんがため今日まで数多の工夫・考案がなされてきたにも関わらず、未だ抜本的な解決手段が見出されていない。
【０００３】
その原因として、一般に市販されている結束用の紐で新聞紙・雑誌等をゆるみなく固く縛るには、1-結束方法に関する一定の知識と、2-結束用ひもの準備や切断と、3-結束対象物に紐を（何重かに）巻いて（何箇所かで）縛る面倒な作業と、最後に余った紐の切断が必要になり、4-最も困難な点として、縛る作業の時、弛み無く縛るには強い力が必要とされた。
【０００４】
主に上記４の問題点を解決する発明として「くるくる結束器」（実用新案第１０５８１９号）が挙げられるが、これは使用できる紐の種類（ナイロン系・紙のみ）と太さ（３ｍｍ以下）が限定されており、細い紐しか用いることができないので、結束対象物も１０ｋｇ以下と制限されている。さらに新聞紙等を十文字に縛る場合には２度の結束作業が必要となる。また上記の１・２・３の問題を解決しているとは言い難い。この発明は「ひも」に関しては着目しておらず、一切工夫を凝らしていない。
【０００５】
上記の１・２・３の問題を解決する発明として「ひも状結束具」（特許出願平１０−１６２７５１）および多くのこれに類似した発明があるが、これらはいずれも最後の縛り作業を従来通り手の力に頼っており、従って結束作業時に生じる最大の課題４を解決していない。
【０００６】
紐の結束後に金属棒等を紐に絡めて回転させ、紐を締め付けることにより、結束の弛みを解消する発明「紐を締める紐締具」（実用新案第３０１９６９７）があるが、これはあくまでも結束作業後の弛みの是正作業であって、結束作業それ自体とは言い難い。従って上記の問題１・２・３のいずれをも解決していない。考え方によっては４を解決していると言えるが、しかし結束物に棒状の締め金が残留するという問題点があった。
【発明の概要】
【発明が解決しようとする課題】
【０００７】
そこで本発明は上記１〜４の全ての問題を解決し、どんな非力な結束者であっても新聞等の結束作業を極めて容易にスピィーディーに、しかも紐の弛み無く行うことを可能にするものである。
【課題を解決するための手段】
【０００８】
四つ折りA４版に積み重ねた新聞紙一ヵ月分の高さ（３５センチ程度）と、Ａ４型の長辺２９７ｍｍと短辺２１０ｍｍの長さの比率をこの「結束用十字ひも」のタテ紐・ヨコ紐に反映させることによって、特に上記の結束対象物を弛みなく効果的に十文字縛りにできる「結束用十字ひも」を作製することが可能となった。この「結束用十字ひも」を結束対象物にワンタッチ着装して、紐の４つの末端のループ状部分に棒などの結束具を通し、その結束具を回転させることによって、力いらず・コツいらずの速やかな結束作業を実現した。これにより上記１〜４の課題を全て解決するものである。
【０００９】
「結束用十字ひも」はＡ４版の物（四つ折新聞紙・電話帳など）をその最適結束対象物とするものであるが、回転作業時にある一定の方向に力を加えることにより生じる、タテひもヨコひもの長さの不均衡を解消してしまう自動調整能力のお陰で、Ｂ５版（雑誌など）、Ａ５版（単行本など）、Ａ６版（文庫本など）など、どんな型でも、あるいはそれらの混合物の十文字結束に関しても同様に有効である。
【発明の効果】
【００１０】
以上のような本発明によれば、どんな非力な結束者であっても新聞・雑誌等の結束作業を極めて容易にスピィーディーに、しかも紐の弛み無く行うことを可能にすることができるようになった。
【００１１】
「結束用十字ひも」は広範囲の素材（ポリプロピレン・ナイロン・麻・紙など）を用いることが可能であり、広範囲の長さ・太さの「結束用十字ひも」を製造することが可能である。即ち、広範囲のサイズ・重量の結束対象物の結束が可能であり、家庭用（古新聞等の結束）のみならず、広く産業用の利用（鋼板・角材等の結束）が可能である。
【発明を実施するための形態】
【００１２】
家庭における四つ折りＡ４版の新聞紙一ヵ月分の結束作業を想定した実施例を以下に示す。ただし、以下の方法は一ヶ月分未満の少量の新聞紙をも、またその他、広範囲のサイズ及びタテ・ヨコ比率の結束対象物をも等しく効果的に十文字に結束し得るものである。
【００１３】
１、「結束用十字ひも」と  ２、「結束棒」もしくは「ひも結束器」の２点を用意する。(図１)
１、「結束用十字ひも」    ： ポリプロピレン・紙等の様々な素材を用い、以下の（イ）〜（ホ）の工程で作られる。  
（イ）、288cm程度（特にこの寸法に限定されない）の円周の紐のループを作る。溶着または結びの方法による。
（ロ）、270cm程度（特にこの寸法に限定されない）の円周の紐のループを作る。同上の方法による
（ハ）、（イ）のループを一本のひもとして扱い、同様に一本のひもとして扱われる（ロ）のループと各々の中心点で接合し、（又は、交差させただけの状態で）十字形にする。接合は、溶着または結びの方法による。
（ニ）、（イ）か（ロ）のどちらかのループの先端にストッパー紐を付ける。（「ひも結束器」を用いる場合はストッパー紐は不要。）
（ホ）、これを新聞紙一ヶ月分または、それ未満の量の新聞紙も、あるいは他のどんなサイズ及びタテヨコ比率の結束物をも効果的に十文字に結束し得る家庭用「結束用十字ひも」の代表的規格とする。（しかし、これはあくまで代表的規格に過ぎず、上記以外の製法、寸法、材質を用いて「結束用十字ひも」を製造することが可能である。）
２、「結束棒」  ：    アルミ等の中空状の金属棒（長さ40~50cm、直径1~1.3cm程度が一つの目安）。ただし「結束棒」は以上の条件に限定されるものではない。
もしくは「ひも結束器」  ：    市販のものでよい。
【００１４】
床に広げた「結束用十字ひも」の中心点に結束対象物である四つ折りA４版の新聞紙（一ヵ月分）がくるように置く。その際、ひものタテヨコと新聞紙のタテヨコを合わせる。（図２）
【００１５】
四方のひもをそれぞれ結束対象物である新聞紙の真上まで持ち上げて、そのループ状になった四端をひとまとめにして、そこに「結束棒」等の結束具を通す(図３)
【００１６】
その際、ひもの四端の内、一端に付いているストッパー紐で他の三端を結んで一まとめにする。(「ひも結束器」を使用する場合は、４つのループを指でつまんで一まとめにするだけで、ストッパー紐は不要。)(図４)
【００１７】
一まとめにした4ループを「結束棒」等に通したら、「結束棒」等を回転させて、各ループ部分に連なる四本のひもをねじってゆき、結束対象物を十文字に締め上げてゆく。その際、「結束棒」等を結束対象物の垂直上方向に引っ張り挙げて、ひもにテンションを加えながら回転作業を進めてゆくと、縦紐・横紐の長さの不均衡が解消され、同一の力で十文字に締め上げてゆくことができる。(図５)
【００１８】
新聞紙が十分に固く縛り上がったら、以前ひもの四端をまとめて結んだストッパー紐の余りを、さらに新聞紙を縛っている縦ひもか横ひものどれか一つに結び付ける。  (「ひも結束器」を使用する場合はこの作業は不要。)(図６)
【００１９】
力を入れて「結束棒」等を素早く引き抜けば、結束作業の完了。(図７)
【図面の簡単な説明】
【００２０】
【図１】本発明の1,「結束用十字ひも」と、それに付随する3, ストッパー紐および2,「結束棒」の平面的斜視図。
【図２】「結束用十字ひも」を床に十字形に広げて、その上に4,新聞紙１ヶ月分（四つ折、Ａ4版）を置いた斜視図。
【図３】新聞の上に持ち上げた「結束用十字ひも」の四端に2,「結束棒」通した斜視図。
【図４】2,「結束棒」に通した「結束用十字ひも」の四端を3, ストッパー紐で１つにまとめて縛る作業の図。
【図５】「結束棒」を回転させて新聞紙を縛り上げる作業の斜視図。
【図６】3,ストッパー紐を「結束用十字ひも」の一辺に結びつける作業の斜視図。
【図７】「結束棒」を結束完了した「結束用十字ひも」から引き抜く作業の斜視図。
【図８】全体ループ型の平面的斜視図
【図９】先端ループ型の平面的斜視図
【図１０】先端結節型の平面的斜視図
【図１１】たるみを持たせた結束済み型の斜視図
【図１２】紐と袋の一体型の斜視図
【符号の説明】
【００２１】
１、結束用十字ひも
２、結束棒
３、ストッパー紐
４、新聞紙一ヵ月分
【図１】
2012030890.tif 000003
【図２】
2012030890.tif 000004
【図３】
2012030890.tif 000005
【図４】
2012030890.tif 000006
【図５】
2012030890.tif 000007
【図６】
2012030890.tif 000008
【図７】
2012030890.tif 000009
【図８】
2012030890.tif 000010
【図９】
2012030890.tif 000011
【図１０】
2012030890.tif 000012
【図１１】
2012030890.tif 000013
【図１２】
2012030890.tif 000014